(57)【要約】【課題】軽量及び薄型であり、かつ、ナローベゼルを用いた液晶表示装置を実現する。【解決手段】メインフレームを第１メインフレームと第２メインフレームとからなる二重構造にし、第１メインフレームによって第１及び第２メインフレームがボトムフレームと組立・締結されるようにし、かつ、第２メインフレームによって液晶パネルが貼り付け固定されるようにする。更に、第１メインフレームの第１水平部の上部にリブを設け、第２メインフレームの第２水平部の下面に、リブが嵌合されるリブ溝を設ける構造を備えている。【選択図】図４ｂ
2014123122.tif 000002
【特許請求の範囲】
【請求項１】
液晶パネルと、
前記液晶パネルの下部に位置するバックライトユニットと、
前記液晶パネルと前記バックライトユニットが設けられる水平面、及び前記水平面に垂直した側面からなるボトムフレームと、
前記ボトムフレームと組立・締結され、かつ、第１垂直部で前記バックライトユニットの縁部を囲み、前記第１垂直部の内側に向かって垂直に突出した第１水平部を含む第１メインフレームと、
前記第１垂直部の外側に密着して組立・締結される第２垂直部、及び前記第２垂直部の内側に向かって垂直に突出し、その上面に前記液晶パネルが貼り付け固定される第２水平部を含む第２メインフレームと
を備え、
前記第１水平部の上面からは、リブが前記第１水平部に垂直に突出し、前記第２水平部の下面には、前記リブが嵌合されるリブ溝が設けられる
液晶表示装置。
【請求項２】
前記ボトムフレームの前記側面には、第１締結突起が設けられ、前記第１垂直部は、前記側面の外側に密着され、前記第１締結突起が嵌合される第１締結ホールが設けられる
請求項１に記載の液晶表示装置。
【請求項３】
前記第１垂直部の外側には、第２締結突起が設けられ、前記第２垂直部には、前記第２締結突起が嵌合される第２締結ホールが設けられる
請求項１に記載の液晶表示装置。
【請求項４】
前記第２水平部の端部は、傾斜面を有する
請求項１に記載の液晶表示装置。
【請求項５】
前記第２水平部の下面には前記リブ溝による突出端が設けられ、前記突出端は、ラウンド処理される
請求項１に記載の液晶表示装置。
【請求項６】
前記第１水平部の端部には、前記突出端と噛み合う突出端部が設けられる
請求項５に記載の液晶表示装置。
【請求項７】
前記第１水平部の前記上面の前記リブの一側には、第２締結溝が設けられ、前記第２水平部の下面には、前記第２締結溝に嵌合される締結段が設けられる
請求項１に記載の液晶表示装置。
【請求項８】
前記第１水平部の下面には、前記ボトムフレームの前記側面が嵌合される第１締結溝が設けられる
請求項１に記載の液晶表示装置。
【請求項９】
前記第２メインフレームは、前記第１メインフレームに比べ、その厚さが薄い
請求項１に記載の液晶表示装置 。
【請求項１０】
前記液晶パネルは、両面テープを含む接着パッドを介して前記第２水平部の前記上面に貼り付け固定される
請求項１に記載の液晶表示装置。
【請求項１１】
前記バックライトユニットは、ＬＥＤアセンブリ、導光板及び光学シートを含む
請求項１に記載の液晶表示装置。
【請求項１２】
液晶パネルと、
前記液晶パネルの下部に位置するバックライトユニットと、
前記液晶パネルと前記バックライトユニットが設けられる水平面、及び前記水平面に垂直した側面からなるボトムフレームと、
前記ボトムフレームと組立・締結され、かつ、第１垂直部で前記バックライトユニットの縁部を囲み、前記第１垂直部の内側に向かって垂直に突出した第１水平部を含む第１メインフレームと、
前記第１垂直部の外側に密着して組立・締結される第２垂直部、及び前記第２垂直部の内側に向かって垂直に突出し、その上面に前記液晶パネルが貼り付け固定される第２水平部を含む第２メインフレームと
を備えた液晶表示装置の製造方法であって、
前記第１メインフレームの前記第１水平部の上面において、前記第１水平部に垂直に突出するリブを形成しておく工程と、
前記第２メインフレームの前記第２水平部の下面において、前記リブが嵌合されるリブ溝を形成しておく工程と、
前記第１メインフレームに形成された前記リブと、前記第２メインフレームに形成された前記リブ溝とを嵌合させて二重構造のメインフレームを形成する工程と
を備える液晶表示装置の製造方法。
【発明の詳細な説明】
【技術分野】
【０００１】
本発明は、液晶表示装置に関するものであって、特に、軽量及び薄型であり、かつ、ナローベゼル（狭額縁）を用いた液晶表示装置および液晶表示装置の製造方法に関するものである。
【背景技術】
【０００２】
動画像表示に有利であり、コントラスト比が大きい特徴を有し、テレビ、モニターなどに幅広く用いられる液晶表示装置（ＬＣＤ）は、液晶の光学的異方性及び偏光特性を利用して画像を具現化する。
【０００３】
かかる液晶表示装置は、平行な２枚の基板の間に液晶層を介在させて貼り合せた液晶パネルを必須構成要素とし、液晶パネル内の電場によって、液晶分子の配列方向を変化させて透過率差を具現化する。
【０００４】
しかしながら、液晶パネルは、自己発光要素を有さないため、透過率差を画像として表示するためには、別途光源が必要となる。そのため、液晶パネルの背面には、光源が内蔵されたバックライトユニットが配置される。
【０００５】
バックライトユニットの光源としては、冷陰極蛍光ランプ、外部電極蛍光ランプ、そして発光ダイオード（以下、ＬＥＤと略す）などを用いる。
【０００６】
その中で、特にＬＥＤは、小型、低消費電力、高信頼性といった特徴を有するため、表示用光源として広く利用されている。
【０００７】
一方、一般的に、バックライトユニットは、ランプの配列構造によって直下型方式とエッジ型方式に区分される。エッジ型方式は、１つ若しくは１対の光源が導光板の一側部に、あるいは２つ若しくは２対の光源が導光板の両側部のそれぞれに配置された構造を有し、直下型方式は、複数の光源が液晶パネルの下部に配置された構造を有する。
【０００８】
直下型方式は、薄型化に限界があるため、画面の厚さよりも明るさが重要視される液晶表示装置に主に用いられ、直下型方式に比べて軽量及び薄型化が可能なエッジ型方式は、ノートパソコンやモニター用ＰＣのように厚さが重要視される液晶表示装置に主に用いられる。
【０００９】
図１は、ＬＥＤを光源として用いた一般的なエッジ型方式のバックライトユニットを含む液晶表示装置の断面図である。
【００１０】
図１に示すように、一般的なエッジ型方式のバックライトユニット２０を含む液晶表示装置は、液晶パネル１０と、バックライトユニット２０と、メインフレーム３０と、トップフレーム４０と、ボトムフレーム５０とで構成される。
【００１１】
液晶パネル１０は、画像表現において中核的な役割を担う部分であって、液晶層を介してそれぞれが対面するように貼り合わせられた第１基板１２及び第２基板１４で構成される。
【００１２】
液晶パネル１０の後方には、バックライトユニット２０が備えられる。
【００１３】
バックライトユニット２０は、メインフレーム３０の少なくとも一側縁部の長さ方向に沿って配列され、複数のＬＥＤ２９ａが実装されるＰＣＢ２９ｂからなるＬＥＤアセンブリ２９と、ボトムフレーム５０上に設けられた白色または銀色の反射板２５と、かかる反射板２５上に設けられた導光板２３と、導光板２３の上部に位置する光学シート２１とを含む。
【００１４】
かかる液晶パネル１０とバックライトユニット２０は、四角縁形状のメインフレーム３０で囲まれた状態で、液晶パネル１０の上面縁部を囲むトップフレーム４０と、バックライトユニット２０の背面を覆うボトムフレーム５０がそれぞれ前方・後方から結合され、メインフレーム３０を介して一体化される。
【００１５】
また、符号１９ａ、１９ｂは、それぞれ液晶パネル１０の前面・後面に貼り付けられて光の偏光方向を制御する偏光板を示す。
【００１６】
一方、近年、かかる液晶表示装置は、携帯用パソコンのみならず、デスクトップパソコンや壁掛けテレビなど、その採用領域が更に広くなっており、大きいディスプレイ面積を持ちながらも、画期的に減量した重さや体積を求める研究が活発に行われている。
【００１７】
更に、液晶表示装置においては、軽量及び薄型以外にも、その表示領域は大きく、そして非表示領域であるベゼル領域は可能な限り狭く形成するナローベゼルの採用が要求されている。
【００１８】
それに応じて、トップフレーム４０を、液晶パネル１０の一側縁のみを覆うブレードタイプに形成し、液晶パネル１０を両面テープのような接着パッド（不図示）を介してメインフレーム３０に貼り付け、固定することにより、軽量及び薄型であり、かつ、ナローベゼルを用いた液晶表示装置を具現化している。
【００１９】
しかしながら、液晶パネル１０を接着パッド（不図示）を介してメインフレーム３０に貼り付け、固定すると、液晶パネル１０の両側面に貼り付けられた偏光板１９ａ、１９ｂの材質特性による収縮や膨張が発生する。このような偏光板１９ａ、１９ｂの収縮や膨張が発生した場合、その収縮や膨張による変形を抑制することはできない。このため、液晶パネル１０にたわみが生じ、その結果、液晶パネル１０において光漏れが発生する。
【００２０】
この結果、液晶表示装置の画質が低下する。
【発明の概要】
【発明が解決しようとする課題】
【００２１】
本発明は、前記のような問題点を解決するためになされたものであって、軽量及び薄型、そしてナローベゼルを具現化すると同時に、液晶パネル（偏光板）の収縮や膨張による変形を抑制できる液晶表示装置および液晶表示装置の製造方法を提供することを、第１目的とする。
【００２２】
それによって光漏れの発生を抑制することを第２目的とし、液晶表示装置の画質低下の防止を第３目的とする。
【課題を解決するための手段】
【００２３】
前述した目的を達成するため、本発明は、液晶パネルと、前記液晶パネルの下部に位置するバックライトユニットと、前記液晶パネルと前記バックライトユニットが設けられる水平面、及び前記水平面に垂直した側面からなるボトムフレームと、前記ボトムフレームと組立・締結され、かつ、第１垂直部で前記バックライトユニットの縁部を囲み、前記第１垂直部の内側に向かって垂直に突出した第１水平部を含む第１メインフレームと、前記第１垂直部の外側面に密着して組立・締結される第２垂直部、及び前記第２垂直部の内側に向かって垂直に突出し、その上面に前記液晶パネルが貼り付け固定される第２水平部を含む第２メインフレームとを備え、前記第１水平部の上面からは、リブが前記第１水平部に垂直に突出し、前記第２水平部の下面には、前記リブが嵌合されるリブ溝が設けられる液晶表示装置を提供する。
【００２４】
前記ボトムフレームの前記側面には、第１締結突起が設けられ、前記第１垂直部は、前記側面の外側に密着される。前記第１垂直部には、前記第１締結突起が嵌合される第１締結ホールが設けられ、前記第１垂直部の外側には、第２締結突起が設けられる。前記第２垂直部には、前記第２締結突起が嵌合される第２締結ホールが設けられる。
【００２５】
前記第２水平部の端部は、傾斜面を有し、前記第２水平部の下面には、前記リブ溝による突出端が設けられる。前記突出端は、ラウンド処理される。
【００２６】
前記第１水平部の端部には、前記突出端と噛み合う突出端部が設けられる。前記第１水平部の前記上面の前記リブの一側には、第２締結溝が設けられ、前記第２水平部の下面には、前記第２締結溝に嵌合される締結段が設けられる。
【００２７】
また、前記第１水平部の下面には、前記ボトムフレームの前記側面が嵌合される第１締結溝が設けられ、前記第２メインフレームは、前記第１メインフレームに比べ、その厚さが薄い。
【００２８】
前記液晶パネルは、両面テームを含む接着パッドを介して前記第２水平部の前記上面に貼り付け固定される。そして、前記バックライトユニットは、ＬＥＤアセンブリ、導光板及び光学シートを含む。
【発明の効果】
【００２９】
前述したように、本発明に従って、メインフレームを第１及び第２メインフレームからなる二重構造として形成し、第１メインフレームによって第１及び第２メインフレームがボトムフレームと組立・締結されるようにし、かつ、第２メインフレームによって液晶パネルが貼り付け固定されるようにすることで、二重構造のメインフレームとボトムフレームが安定した締結力を有するようにすることができる。また、液晶パネルに貼り付けられた偏光板の材質特性による収縮や膨張が発生した場合にも、偏光板の収縮や膨張による変形を抑制できる効果がある。
【００３０】
それにより、液晶パネルのたわみによる光漏れの発生を抑制できる効果がある。
【００３１】
更に、第１メインフレームの第１水平部の上面にリブを設け、第２メインフレームの第２水平部の下面にリブが嵌合されるリブ溝を設けることで、液晶パネルの収縮や膨張が発生し、第２メインフレームが液晶パネルの収縮や膨張を抑制しようとする動きが発生した場合にも、たとえ、第２メインフレームと第１メインフレームとの間にギャップが生じたとしても、第１メインフレームと第２メインフレームとの間から光漏れが発生することを抑制できる効果がある。
【００３２】
また、リブ及びリブ溝により、第２メインフレームの位置ズレ発生を抑制できる効果がある。
【図面の簡単な説明】
【００３３】
【図１】ＬＥＤを光源として用いた一般的なエッジ型方式のバックライトユニットを備える液晶表示装置の断面図である。
【図２】本発明の実施例にかかる液晶表示装置の分解斜視図である。
【図３ａ】本発明の実施例にかかる二重構造のメインフレームを概略的に示す斜視図である。
【図３ｂ】本発明の実施例にかかる二重構造のメインフレームを概略的に示す斜視図である。
【図３ｃ】第１及び第２メインフレームの断面の一部を概略的に示す断面図である。
【図４ａ】モジュール化された図２の一部を概略的に示す断面図である。
【図４ｂ】モジュール化された図２の一部を概略的に示す断面図である。
【発明を実施するための形態】
【００３４】
以下、図面を参照し、本発明の実施例について詳細に説明する。
【００３５】
図２は、本発明の実施例にかかる液晶表示装置の分解斜視図である。
【００３６】
図２に示すように、本発明にかかる液晶表示装置は、上下に重なり合う液晶パネル１１０とバックライトユニット１２０からなり、これらを一体化するための機械的要素としてトップフレーム１４０、二重構造のメインフレーム２００及びボトムフレーム１５０を備える。
【００３７】
説明の都合上、図面における方向を定義すると、液晶パネル１００の表示面が前方に向かっていることを前提に、バックライトユニット１２０は、液晶パネル１１０の後方に配置され、これらの縁部を、四角縁形状を有する二重構造のメインフレーム２００が囲んだ状態で、液晶パネル１１０の前方縁部を囲むトップフレーム１４０と、バックライトユニット１２０の背面に密着されるボトムフレーム１５０がそれぞれ前方・後方から結合され、一体化される。
【００３８】
それらについて更に詳細に説明する。
【００３９】
まず、液晶パネル１００は、液晶表示装置の画像表現において中核的な役割を担う部分であって、液晶層（不図示）を介して対面して貼り合わせられた第１基板１１２及び第２基板１１４を含む。
【００４０】
図面には示していないが、通常、下部基板またはアレイ基板と呼ばれる第１基板１１２の内側には、複数のゲートラインとデータラインが交差して画素が定義され、それぞれの交差部分毎に薄膜トランジスタ（ＴＦＴ）が設けられ、各画素に形成された透明画素電極と１対１で対応して接続されている。
【００４１】
そして、上部基板またはカラーフィルター基板と呼ばれる第２基板１１４の内側には、各画素に対応する赤（Ｒ）、緑（Ｇ）、青（Ｂ）のカラーフィルター及びそれらをそれぞれ囲み、ゲートラインとデータライン、そして薄膜トランジスタなどを遮るブラックマトリクスが設けられる。
【００４２】
また、赤（Ｒ）、緑（Ｇ）、青（Ｂ）のカラーフィルター及びブラックマトリクスを覆う透明共通電極が設けられる。
【００４３】
そして、第１基板１１２及び第２基板１１４のそれぞれの外側には、特定光のみを選択的に透過させる偏光板（不図示）がそれぞれ貼り付けられる。
【００４４】
かかる液晶パネル１１０の一縁部に沿って、延性回路基板やテープキャリアパッケージ（ＴＣＰ）のような接続部材１１６を介して印刷回路基板１１７が接続され、モジュール化過程で二重構造のメインフレーム２００の側面ないしボトムフレーム１５０の背面に適切に折り返されて密着される。
【００４５】
かかる液晶パネル１１０は、ゲート駆動回路のオン・オフ信号によって各ゲートライン毎に選択された薄膜トランジスタがオンになると、データ駆動回路の信号電圧がデータラインを通じて該当画素電極に伝達される。この信号電圧による画素電極と共通電極との間の電場によって、液晶層の液晶分子の配列方向が変化して透過率差が現れる。
【００４６】
そして、液晶パネル１１０の背面に光を供給するバックライトユニット１２０が備えられ、液晶パネル１１０に現れる透過率差が外部に発現されるようにする。
【００４７】
バックライトユニット１２０は、白色または銀色の反射板１２５と、その一側縁部の長さ方向に沿って配列される、光源であるＬＥＤアセンブリ１２９と、反射板１２５上に設けられた導光板１２３と、導光板１２３の上部に設けられた光学シート１２１とからなる。
【００４８】
ＬＥＤアセンブリ１２９は、バックライトユニット１２０の光源であって、導光板１２３の入光面と対面するように導光板１２３の一側に位置し、かかるＬＥＤアセンブリ１２９は、複数のＬＥＤ１２９ａのそれぞれが一定間隔だけ離間されて装着されるＰＣＢ１２９ｂとを含む。
【００４９】
複数のＬＥＤ１２９ａは、ＲＧＢの色を全て発する、或いは白色を発するＬＥＤチップ（不図示）を含み、導光板１２３の入光面１２３ａに向かう前方に白色光を発する。また、複数のＬＥＤ１２９ａは、それぞれ赤（Ｒ）、緑（Ｇ）、青（Ｂ）の色を有する光を発し、かかる複数のＲＧＢＬＥＤ１２９ａを一斉に点灯させることで、加色混合による白色光を具現化することもできる。
【００５０】
かかる複数のＬＥＤ１２９ａから放射された光が入射した導光板１２３は、ＬＥＤ１２９ａから入射した光が数回の全反射によって導光板１２３内を経由しながら導光板１２３の広い領域にムラなく広がることによって、液晶パネル１１０に面光源を供給する。
【００５１】
導光板１２３は、透明性、耐候性、着色性に優れ、光が透過する際に光拡散を誘導する。
【００５２】
そして、導光板１２３は、均一な面光源を供給するため、背面に特定形状のパターンを含むことができる。パターンは、導光板１２３内部に入射した光をガイドするために、楕円状のパターン、多角形のパターン）、ホログラムパターンなど様々に構成することができる。このようなパターンは、導光板１２３の下面に印刷方式または射出方式で形成される。
【００５３】
反射板１２５は、導光板１２３の背面に位置し、導光板１２３の背面を通過した光を液晶パネル１１０の方に反射させることで、光の輝度を向上させる。
【００５４】
導光板１２３の上部の光学シート１２１は、拡散シートと少なくとも１つの集光シートなどを含み、導光板１２３を通過した光を拡散または集光させ、液晶パネル１１０に、より均一な面光源が入射するようにする。
【００５５】
光学シート１２１は、線形偏光を再生し、光効率を向上させる反射偏光シートを含んでも良い。
【００５６】
かかる液晶パネル１１０とバックライトユニット１２０は、トップフレームと二重構造のメインフレーム１３０、そしてボトムフレーム１５０によってモジュール化される。ボトムフレーム１５０は、液晶パネル１１０及びバックライトユニット１２０が設けられた水平面１５１を提供して液晶表示装置の全体を支持すると共に、光損失の発生を最小限にする下部フレームの役割を担い、水平面１５１の縁部は、垂直折曲されてボトムフレームの側面１５３を形成する。
【００５７】
ボトムフレーム１５０の側面１５３の外側には、第１締結突起１５５が設けられる。
【００５８】
そして、かかるボトムフレーム１５０上に設けられ、バックライトユニット１２０の縁部を囲む四角縁形状の第１メインフレーム２１０が、ボトムフレーム１５０と結合される。
【００５９】
第１メインフレーム２１０は、バックライトユニット１２０の側面を囲む第１垂直部２１１と、第１垂直部２１１の内側に向かって突出し、バックライトユニット１２０の上面縁部の一部を覆う第１水平部２１３とからなる。
【００６０】
第１垂直部２１１には、ボトムフレーム１５０の側面１５３の外側に設けられた第１締結突起１５５が嵌合される第１締結ホール２１７が設けられる。また、第１垂直部２１１の外側の第１締結ホール２１７の上部には、第２締結突起２１５が設けられる。
【００６１】
第１水平部２１３の下面には、下面から一定間隔を置いて第１締結溝２１６（図３ｂ参照）が凹設され、第１締結溝２１６にはボトムフレーム１５０の側面１５３が嵌合される。また、第１水平部２１３の上面の端部には、リブ２１９（図３ｂ参照）が突出して形成される。
【００６２】
第１メインフレーム２１０の上部には、第１メインフレーム２１０に比べて薄い厚さを有し、かつ、第１メインフレーム２１０と組立・締結されて液晶パネル１１０を固定する四角縁形状の第２メインフレーム２２０が設けられる。第２メインフレーム２２０は、第１メインフレーム２１０の第１垂直部と密着される第２垂直部２２１と、第２垂直部２２１の内側に向かって突出し、第１メインフレーム２１０の第１水平部２１３と密着される第２水平部２２３とからなる。
【００６３】
第２垂直部２２１には、第１垂直部２１１の外側に設けられた第２締結突起２１５が嵌合される第２締結ホール２２５が設けられる。また、第２水平部２２３の下面には、第１水平部２１３の外側の段部に形成されたリブ２１９が嵌合されるリブ溝２２７が形成される。
【００６４】
液晶パネル１１０は、両面テープのような接着パッド１１８（図４ａ、図４ｂ参照）を介して第２水平部２３３上に貼り付け固定される。
【００６５】
それにより、液晶パネル１１０とバックライトユニット１２０は、一体にモジュール化される。
【００６６】
液晶パネル１１０は、液晶パネル１１０の両外側に貼り付けられる偏光板１１９ａ、１１９ｂ（図４ａ、図４ｂ参照）の材質特性によって収縮や膨張するが、偏光板１１９ａ、１１９ｂが収縮や膨張した場合、その収縮や膨張による変形を第２メインフレーム２２０によって抑制することができる。
【００６７】
次に、トップフレーム１４０は、ボトムフレーム１５０と二重構造のメインフレーム２００によってモジュール化された液晶パネル１１０の前方に位置する。トップフレーム１４０は、液晶パネル１１０の一縁部に形成される駆動回路などを保護すると同時に、遮る役割を担う。
【００６８】
かかるトップフレーム１４０は、ボトムフレーム１５０の一縁部に対応して液晶パネル１１０の一縁部の上面縁部及びボトムフレーム１５０の側面の外側を覆うよう、その断面が「┐」形状で折り曲げられたブレードタイプで構成される。
【００６９】
即ち、トップフレーム１４０は、液晶パネル１１０の一縁部の上面縁部を覆う第１縁部１４１と、第１縁部１４１と垂直し、かつ、ボトムフレーム１５０の側面１５３の外側を覆う第２縁部１４３とからなる。そして、ボトムフレーム１５０と組立・締結される。
【００７０】
このような本発明の実施例にかかる液晶表示装置は、トップフレーム１４０を液晶パネル１１０の一縁部のみに対応して形成することにより、軽量及び薄型、そしてナローベゼルを具現化することが可能になり、また、工程を単純化できる効果を有する。
【００７１】
モジュール過程について更に詳細に説明する。第１メインフレーム２１０は、バックライトユニット１２０の縁部を囲んだ状態で第２メインフレーム２２０と組立・締結される。第１メインフレーム２１０の第１垂直部２１１の外側は、第２メインフレーム２２０の第２垂直部２２１の内側と密着され、第１垂直部２１１の外側に設けられた第２締結突起２１５は、第２垂直部２２１に設けられた第２締結ホール２２５に嵌合されて、第１メインフレーム２１０と第２メインフレーム２２０とが互いに組立・締結される。
【００７２】
組立・締結された第１メインフレーム２１０及び第２メインフレーム２２０は、ボトムフレーム１５０上に設けられる。第１メインフレーム２１０の第１垂直部２１１の内側は、ボトムフレーム１５０の側面１５３の外側と接触し、ボトムフレーム１５０の側面１５３の外側に設けられた第１締結突起１５５は、第１垂直部２１１に設けられた第１締結ホール２１７に嵌合されて、第１メインフレーム２１０及び第２メインフレーム２２０とボトムフレーム１５０とが互いに組立・締結される。
【００７３】
その後、液晶パネル１１０を両面テープのような接着パッド１１８を介して第２メインフレーム２２０の第２水平部２２３上に貼り付け、固定した後、液晶パネル１１０の一縁部の前方からトップフレーム１４０を組立・締結することにより、本発明の液晶表示装置のモジュール化が完了する。
【００７４】
従って、本発明のモジュール化された液晶表示装置は、液晶パネル１１０とバックライトユニット１２０を安定的にモジュール化することができる。
【００７５】
かかる本発明の液晶表示装置は、メインフレーム２００を第１メインフレーム２１０と第２メインフレーム２２０とからなる二重構造に形成し、第１メインフレーム２１０によって第１メインフレーム２１０及び第２メインフレーム２２０がボトムフレーム１５０と組立・締結されるようにし、かつ、第２メインフレーム２２０によって液晶パネル１１０が貼り付け固定されるようにすることで、二重構造のメインフレーム２００とボトムフレーム１５０が安定した締結力を有するようにすることができる。また、液晶パネル１１０、即ち、液晶パネル１１０の両外側に貼り付けられた偏光板１１９ａ、１１９ｂの材質特性による収縮や膨張が発生した場合にも、その収縮や膨張による液晶パネル１１０の変形を抑制することができる。
【００７６】
即ち、液晶パネル１１０の両外側に貼り付けられる偏光板１１９ａ、１１９ｂは、その材質特性によって液晶パネル１１０を駆動する際に、収縮や膨張が発生することがある。軽量及び薄型、そしてナローベゼルを具現化するため、液晶パネルを両面テープのような接着パッドを介してメインフレーム上に貼り付けた場合、たとえ、液晶パネルの両外側に貼り付けられた偏光板が収縮や膨張しても、液晶パネルは、接着パッドによって拘束されるため、液晶パネルにおいてたわみが生じ、その結果、光漏れが発生する。
【００７７】
このような問題点の発生を抑制するため、液晶パネル、即ち、液晶パネルの両外側に貼り付けられる偏光板の収縮や膨張を抑制できるよう、液晶パネルが貼り付け固定されるメインフレームが可動性を有するように形成することもできる。しかしながら、その場合、液晶パネルとバックライトユニットを安定して締結することが難しいため、導光板の動きを引き起こし、それによるＬＥＤの破損も引き起こすことがある。
【００７８】
従って、本発明の液晶表示装置は、第１メインフレーム２１０が可動性を有さないように形成され、ボトムフレーム１５０と組立・締結されるようにすることで、液晶パネル１１０とバックライトユニット１２０を安定的にモジュール化することができる。
【００７９】
また、液晶パネル１１０が貼り付け固定される第２メインフレーム２２０を別に構成し、第２メインフレーム２２０の厚さを第１メインフレーム２１０の厚さに比べて薄くすることにより、第２メインフレーム２２０は、第１メインフレーム２１０よりある程度の可動性を有するように形成される。そのため、第２メインフレーム２２０上に貼り付け固定される液晶パネル１１０は、第２メインフレーム２２０によって、液晶パネル１１０の両外側に貼り付けられる偏光板１１９ａ、１１９ｂの収縮や膨張に対応して、たわみ及び自由度を有するようになる。
【００８０】
従って、液晶パネル１１０の両外側に貼り付けられる偏光板１１９ａ、１１９ｂの収縮や膨張が発生した場合、第２メインフレーム２２０によってその収縮や膨張を抑制できるようにすることができ、液晶パネル１１０の破損も防止できるのである。
【００８１】
よって、本発明の液晶表示装置は、液晶パネル１１０とバックライトユニット１２０を安定的にモジュール化することができ、液晶パネル１１０の破損を防止することができる。
【００８２】
特に、本発明の第１メインフレーム２１０の第１水平部２１３の上面端部にリブ２１９を形成し、第１水平部２１３の上面と密着される第２メインフレーム２２０の第２水平部２２３の下面にリブ２１９が嵌合されるリブ溝２２７（図３ｂ参照）を形成することにより、第１メインフレーム２１０と第２メインフレーム２２０との間から光漏れが発生することを抑制することができる。
【００８３】
即ち、液晶パネル１１０の両外側に貼り付けられる偏光板１１９ａ、１１９ｂが収縮や膨張し、第２メインフレーム２２０がその収縮や膨張を抑制しようとする動きが発生した場合、第２メインフレーム２２０と第１メインフレーム２１０との間にはギャップが生じることがある。その結果、光漏れが発生する。
【００８４】
そこで、本発明の液晶表示装置は、第１メインフレーム２１０と第２メインフレーム２２０とが互いに密着される部分に嵌合されるリブ２１９とリブ溝２２７を形成することにより、第１メインフレーム２１０と第２メインフレーム２２０との間から光漏れが発生することを抑制できるのである。
【００８５】
図３ａ及び図３ｂは、本発明の実施例にかかる二重構造のメインフレームを概略的に示す斜視図であり、図３ｃは、第１及び第２メインフレームの断面の一部を概略的に示す断面図である。
【００８６】
図３ａ〜図３ｃに示すように、本発明の実施例にかかる二重構造のメインフレーム２００は、バックライトユニット１２０（図２参照）の縁部を囲む第１メインフレーム２１０と、第１メインフレーム２１０の縁部を囲む第２メインフレーム２２０とからなる。
【００８７】
バックライトユニット１２０の縁部を囲む第１メインフレーム２１０は、ポリカーボーネートのような合成樹脂のモールド材質からなる。また、第１メインフレーム２１０は、バックライトユニット１２０の縁部を囲む第１垂直部２１１と、第１垂直部２１１から内側に向かって垂直に突出した第１水平部２１３とからなる。
【００８８】
第１垂直部２１１の外側には第２締結突起２１５が突出して設けられ、第２締結突起２１５の下部には、ボトムフレーム１５０（図２参照）の側面１５３（図２参照）の外側に設けられた第１締結突起１５５（図２参照）が嵌合される第１締結ホール２１７が設けられる。
【００８９】
そして、第１垂直部２１１の内側に向かって垂直に突出した第１水平部２１３の下面、即ち、ボトムフレーム１５０に向かう一面には、ボトムフレーム１５０の側面１５３が嵌合される第１締結溝２１６が設けられる。
【００９０】
また、第１水平部２１３の上面、即ち、液晶パネル１１０（図２参照）に向かう一面の端部には、第１水平部２１３から垂直にリブ２１９が突出して形成される。
【００９１】
第１水平部２１３の端部には、第１水平部２１３から突出して形成されるリブ２１９によって突出端部２１９ａが形成される。
【００９２】
かかる第１メインフレーム２１０の縁部を囲む第２メインフレーム２２０も、ポリカーボーネートのような合成樹脂のモールド材質からなる。そして、第２メインフレーム２２０は、第１メインフレーム２１０の第１垂直部２１１の外側と対応する第２垂直部２２１と、第２垂直部２２１の内側に向かって垂直に突出し、かつ、第１メインフレーム２１０の第１水平部２１３と対応する第２水平部２２３とからなる。
【００９３】
第２垂直部２２１の外側には、第１メインフレーム２１０の第２締結突起２１５が嵌合される第２締結ホール２２５が設けられる。第２垂直部２２１の内側に向かって垂直に突出した第２水平部２２３の下面、即ち、ボトムフレーム１５０に向かう一面には、第１メインフレーム２１０のリブ２１９が嵌合されるリブ溝２２７が形成される。
【００９４】
従って、本発明の二重構造のメインフレーム２００は、第１メインフレーム２１０の第１垂直部２１１の外側が第２メインフレーム２２０の第２垂直部２２１の内側と密着され、かつ、第１メインフレーム２１０の第１水平部２１３の上面が第２メインフレーム２２０の第２水平部２２３の下面と密着されるよう、第１メインフレーム２１０を下側から上側に、第２メインフレーム２２０を上側から下側に向かって押し、第１メインフレーム２１０と第２メインフレーム２２０とを互いに組立・締結することによって構成される。
【００９５】
詳しく説明すると、第１メインフレーム２１０の第１垂直部２１１の外側に設けられた第２締結突起２１５が、第２メインフレーム２２０の第２垂直部２２１に設けられた第２締結ホール２２５に嵌合され、また、第１メインフレーム２１０の第１水平部２１３の上面に形成されたリブ２１９が第２メインフレーム２２０の第２水平部２２３の下面に形成されたリブ溝２２７に嵌合されることにより、第１メインフレーム２１０と第２メインフレーム２２０とが互いに組立・締結される。
【００９６】
このとき、第１メインフレーム２１０の第１水平部２１３の上面に形成されたリブ２１９が、第２メインフレーム２２０の第２水平部２２３の下面に形成されたリブ溝２２７に嵌合されることにより、リブ２１９とリブ溝２２７は、互いに噛み合う構造を有する。
【００９７】
従って、液晶パネル１１０の両外側に貼り付けられる偏光板１１９ａ、１１９ｂが収縮や膨張し、第２メインフレーム２２０がその収縮や膨張を抑制しようとする動きが発生した場合、たとえ、第２メインフレーム２２０と第１メインフレーム２１０との間にギャップが生じたとしても、第１メインフレーム２１０と第２メインフレーム２２０との間から光漏れが発生することを抑制することができる。
【００９８】
このとき、第２水平部２２３の端部を、傾斜面（Ｃ）を有するように形成し、バックライトユニット１２０から放射された光が第２水平部２２３の端部によって遮断されず、傾斜面（Ｃ）によって反射するようにすることで、より多くの光が液晶パネル１１０に提供されるようにすることが望ましい。
【００９９】
また、リブ溝２２７によって第２水平部２２３の端部に形成される突出端２２９は、第１水平部２１３のリブ２１９が第２水平部２２３のリブ溝２２７に嵌合されることにより、第１水平部２１３のリブ２１９によって形成される突出端部２１９ａと噛み合って形成される。従って、第２メインフレーム２２０が図面上のＸ軸方向にずれることを抑制することができる。
【０１００】
このとき、第１水平部２１３の突出端部２１９ａと噛み合う突出端２２９をラウンド処理し、突出端部２１９ａと噛み合う過程において擦れによる異物が発生しないようにすることが望ましい。
【０１０１】
また、本発明の二重構造のメインフレーム２００は、第１メインフレーム２１０の第１水平部の上面に、上面から一定間隔を置いて第２締結溝２１８を凹設し、第１水平部２１３の上面と密着される第２メインフレーム２２０の第２水平部２２３の下面には、第２締結溝２１８に嵌合される締結段２２８を形成することができる。
【０１０２】
第１水平部２１３の第２締結溝２１８及び第２水平部２２３の締結段によって第１水平部２１３と第２水平部は二重に噛み合う構成を有することになり、その結果、第１メインフレーム２１０と第２メインフレーム２２０との間から光漏れが発生することを、より確実に抑制することができる。
【０１０３】
また、第１水平部２１３の第２締結溝２１８及び第２水平部２２３の締結段２２８によって第１水平部２１３と第２水平部２２３の組立性を更に向上させることができ、その結果、第２メインフレーム２２０のＸ軸方向への位置ズレを一層確実に抑制することができる。
【０１０４】
図４ａは、モジュール化された図２の一部を概略的に示す断面図であり、図４ｂは、図４ａの一部を拡大して示す断面図である。
【０１０５】
図４ａ、図４ｂに示すように、反射板１２５と、導光板１２３と、ＬＥＤ１２９ａ及びＬＥＤａが実装されるＰＣＢ１２９ｂからなるＬＥＤアセンブリ１２９と、導光板１２３の上部に光学シートとが積層され、バックライトユニット１２０を構成する。
【０１０６】
そして、かかるバックライトユニット１２０の上部に、第１基板１１２と第２基板１１４と両基板の間に介在された液晶層（不図示）とからなる液晶パネル１１０が位置する。第１基板１１２及び第２基板１１４のそれぞれの外側には、特定光のみを選択的に透過させる偏光板１１９ａ、１１９ｂが貼り付けられる。
【０１０７】
かかる液晶パネル１１０とバックライトユニット１２０は、二重構造のメインフレーム２００及びボトムフレーム１５０によってモジュール化される。バックライトユニット１２０は、第１メインフレーム２１０の第１垂直部２１１によって縁部が囲まれ、第１メインフレーム２１０によって縁部が囲まれたバックライトユニット１２０は、ボトムフレーム１５０の側面１５３の内側の水平面１５１上に設けられる。
【０１０８】
そして、液晶パネル１１０は、第１メインフレーム２１０と組立・締結される第２メインフレーム２２０の第２水平部２２３上に設けられる。
【０１０９】
第１メインフレーム２１０の第１垂直部２１１の外側が第２メインフレーム２２０の第２垂直部２２１の内側と密着され、かつ、第１メインフレーム２１０の第１水平部２１３の上面が第２メインフレーム２２０の第２水平部２２３の下面と密着されるよう、第１メインフレーム２１０を下側から上側に、第２メインフレーム２２０を上側から下側に向かって押し、第１メインフレーム２１０と第２メインフレーム２２０とを互いに組立・締結する。
【０１１０】
詳しく説明すると、第１メインフレーム２１０の第１垂直部２１１の外側に設けられた第２締結突起２１５が、第２メインフレーム２２０の第２垂直部２２１に設けられた第２締結ホール２２５に嵌合され、また、第１メインフレーム２１０の第１水平部２１３の上面に形成されたリブ２１９が第２メインフレーム２２０の第２水平部２２３の下面に形成されたリブ溝２２７に嵌合されることにより、第１メインフレーム２１０と第２メインフレーム２２０とが互いに組立・締結される。
【０１１１】
このように互いに組立・締結された第１メインフレーム２１０及び第２メインフレーム２２０は、ボトムフレーム１５０と組立・締結される。第１メインフレーム２１０の第１垂直２１１の内側は、ボトムフレーム１５０の側面１５３の外側と密着され、ボトムフレーム１５０の側面１５３の外側に設けられた第１締結突起１５５は、第１メインフレーム２１０の第１垂直部２１１に設けられた第１締結ホール２１７に嵌合される。
【０１１２】
そして、ボトムフレーム１５０の側面１５３の端部が、第１メインフレーム２１０の第１水平部２１３の下面に設けられた第１締結溝２１６に嵌合されることにより、ボトムフレーム１５０と第１メインフレーム２１０とが互いに組立・締結される。
【０１１３】
従って、二重構造のメインフレーム２００とボトムフレーム１５０とが互いに組立・締結され、液晶パネル１１０とバックライトユニット１２０は、一体にモジュール化される。
【０１１４】
図面には示していないが、液晶パネル１１０の前方から液晶パネル１１０の一縁部を覆うよう、トップフレーム１４０（図２参照）が二重構造のメインフレーム２００及びボトムフレーム１５０と組立・締結される。
【０１１５】
本発明の液晶表示装置は、メインフレーム２００を第１メインフレーム２１０と第２メインフレーム２２０とからなる二重構造に形成し、第１メインフレーム２１０によって二重構造のメインフレーム２００がボトムフレーム１５０と組立・締結されるようにし、かつ、第２メインフレーム２２０によって液晶パネル１１０が貼り付け固定されるようにすることで、二重構造のメインフレーム２００とボトムフレーム１５０が安定した締結力を有するようにすることができる。また、液晶パネル１１０、即ち、液晶パネル１１０の両外側に貼り付けられた偏光板１１９ａ、１１９ｂの材質特性による収縮や膨張が発生した場合、その収縮や膨張による液晶パネル１１０の変形も抑制することができる。
【０１１６】
また、第１メインフレーム２１０の第１水平部２１３の上面にリブ２１９を設け、第２メインフレーム２２０の第２水平部２２３の下面にリブ２１９が嵌合されるリブ溝２２７を設けることで、偏光板１１９ａ、１１９ｂが収縮や膨張し、第２メインフレーム２２０がその収縮や膨張を抑制しようとする動きが発生した場合、たとえ、第２メインフレーム２２０と第１メインフレーム２１０との間にギャップが生じても、第１メインフレーム２１０と第２メインフレーム２２０との間から光漏れが発生することを抑制することができる。
【０１１７】
また、第２水平部２２３の端部を、傾斜面（Ｃ）を有するように形成し、バックライトユニット１２０から放射された光が第２水平部２２３の端部によって遮断されず、傾斜面（Ｃ）によって反射するようにすることで、より多くの光が液晶パネル１１０に提供されるようにすることができる。
【０１１８】
更に、本発明の二重構造のメインフレーム２００は、第１メインフレーム２１０の第１水平部２１３の上面に第２締結溝２１８を設け、第２メインフレーム２２０の第２水平部２２３の下面には、第２締結溝２１８に嵌合される締結段２２８を形成することにより、第１メインフレーム２１０と第２メインフレーム２２０との間から光漏れが発生することを一層確実に抑制することができる。
【０１１９】
前述したように、本発明の液晶表示装置は、メインフレーム２００を第１メインフレーム２１０と第２メインフレーム２２０とからなる二重構造に形成し、第１メインフレーム２１０によって第１メインフレーム２１０及び第２メインフレーム２２０がボトムフレーム１５０と組立・締結されるようにし、かつ、第２メインフレーム２２０によって液晶パネル１１０が貼り付け固定されるようにすることで、二重構造のメインフレーム２００とボトムフレーム１５０が安定した締結力を有するようにすることができる。また、液晶パネル１１０、即ち、液晶パネル１１０の両外側に貼り付けられた偏光板１１９ａ、１１９ｂの材質特性による収縮や膨張が発生した場合、その収縮や膨張による液晶パネル１１０の変形も抑制することができる。
【０１２０】
それにより、液晶パネル１１０の破損を防止することができる。
【０１２１】
更に、第１メインフレーム２１０の第１水平部２１３の上面にリブ２１９を設け、第２メインフレーム２２０の第２水平部２２３の下面にリブ２１９が嵌合されるリブ溝２２７を設けることで、偏光板１１９ａ、１１９ｂが収縮や膨張し、第２メインフレーム２２０がその収縮や膨張を抑制しようとする動きが発生した場合、たとえ、第２メインフレーム２２０と第１メインフレーム２１０との間にギャップが生じても、第１メインフレーム２１０と第２メインフレーム２２０との間から光漏れが発生することを抑制することができる。
【符号の説明】
【０１２２】
１１０  液晶パネル、１１２  第１基板、１１４  第２基板、１１８  接着パッド、１１９ａ  第１偏光板、１１９ｂ  第２偏光板、１２１  光学シート、１２３  導光板、１２５  反射板、１５０  ボトムフレーム、１５１  水平面、１５３  側面、１５５  第１締結突起、２１０  第１メインフレーム、２１１  第１垂直部、２１３  第１水平部、２１５  第２締結突起、２１７  第１締結ホール、２１８  締結溝、２１９  リブ、２１９ａ  突出端部、２２０  第２メインフレーム、２２１  第２垂直部、２２３  第２水平部、２２５  第２締結ホール、２２７  リブ、２２９  突出端。
【図１】
2014123122.tif 000003
【図２】
2014123122.tif 000004
【図３ａ】
2014123122.tif 000005
【図３ｂ】
2014123122.tif 000006
【図３ｃ】
2014123122.tif 000007
【図４ａ】
2014123122.tif 000008
【図４ｂ】
2014123122.tif 000009